(57)【要約】【課題】オリフィスおよびオリフィス板の流体流入側の面に付着堆積する異物を除去できるスチームトラップを提供する。【解決手段】本発明の一形態におけるスチームトラップ１は、オリフィス板４の流体排出孔４０に付着した異物を除去する流体排出孔４０に遊挿された第１の異物排除体６１と、オリフィス板４の流体流入面４１に付着した異物を除去する第２の異物排除体６２とを有した清掃部材６を備える。【選択図】図１
2015045377.tif 000002
【特許請求の範囲】
【請求項１】
流体流入側の面を天側に、流体流出側の面を地側にして配設される、オリフィスが設けられたオリフィス板、および、
上記オリフィスに付着した異物を除去する当該オリフィスに遊挿された第１の異物排除体と、上記流体流入側の面に付着した異物を除去する第２の異物排除体とを有した清掃部材を備えていることを特徴とするスチームトラップ。
【請求項２】
上記清掃部材は、上記流体流入側の面に引っ掛けて配されており、
上記第２の異物排除体が、上記流体流入側の面に移動可能に接触していることを特徴とする請求項１に記載のスチームトラップ。
【請求項３】
上記オリフィス板の流体流出側の面側に露出した上記第１の異物排除体の端部には、上記オリフィスから流出した流体と接触することによって位置または姿勢を変える構造体が設けられていることを特徴とする請求項１または２に記載のスチームトラップ。
【請求項４】
上記第１の異物排除体は、上記オリフィスの断面積の５０〜８０％を占める太さを有した線状物であることを特徴とする請求項１から３までの何れか１項に記載のスチームトラップ。
【請求項５】
上記構造体は、天側に頂点を向けた円錐体であり、側面には当該頂点から地側に向かって螺旋構造が形成されていることを特徴とする請求項３に記載のスチームトラップ。
【請求項６】
上記構造体は、複数の羽部を有していることを特徴とする請求項３に記載のスチームトラップ。
【請求項７】
上記オリフィスは、鉛直方向に形成されており、
上記オリフィスから流体が排出されている状態において、上記第１の異物排除体は、鉛直方向に対して傾斜した姿勢となることを特徴とする請求項１から６までの何れか１項に記載のスチームトラップ。
【発明の詳細な説明】
【技術分野】
【０００１】
本発明は、蒸気輸送管や蒸気使用機器等の蒸気配管系に発生する蒸気が凝縮した復水をオリフィスから自動的に系外に排出するスチームトラップに関し、特に、オリフィスに付着堆積する異物を排除する清掃部材を備えたものに関する。
【背景技術】
【０００２】
復水をオリフィスから外部に排出するスチームトラップ、いわゆるオリフィス式スチームトラップとして、オリフィスに付着堆積する異物を排除する清掃部材を備えたものが知られている。
【０００３】
特許文献１には、復水排出孔の下流側に該復水排出孔よりも開口面積の小さなオリフィスを形成し、該オリフィスの上流端に一部を位置せしめた転動部材を該オリフィスを貫通して配置した復水排出装置が開示されている。復水排出孔の下流側に復水排出孔よりも開口面積の小さなオリフィスを形成しているため、復水排出孔の圧力がその上流側の圧力に近い高圧に保たれ、復水が復水排出孔を緩かに流下し、金属イオンが復水排出孔の表面に付着しない。また、このオリフィスの表面に付着する金属イオンの塩や酸化物は、復水流によって転動する転動部材によって取り除かれる構成となっている。
【０００４】
特許文献２には、トラップケーシングに形成した入口と出口の間の隔壁にオリフィスを設け、入口側の復水をオリフィスから出口側に排出するオリフィス式スチームトラップが開示している。トラップケーシングに形成したネジ部に対するトラップケーシングの外部からのネジ進退操作によりオリフィス内をオリフィスの軸方向に進退してオリフィスの異物を排除する清掃部材を設けている。
【０００５】
特許文献３および４には、弁ディスクを有したいわゆるディスク式スチームトラップが開示されており、弁ディスクが開弁して流体が通過するときに転動する転動部材を有し、この転動部材が出口通路を狭めようとする異物を取り除く構成となっている。
【０００６】
特許文献５には、排気オリフィスを開閉するニードル弁と排気オリフィスを清掃するピンとを取り付けたオートドレン装置が開示されている。
【先行技術文献】
【特許文献】
【０００７】
【特許文献１】特開平９−３０３６８６号公報（１９９７年１１月２８日公開）
【特許文献２】特開２００８−３０９２９０号公報（２００８年１２月２５日公開）
【特許文献３】特開平６−５８４９６号公報（１９９４年３月１日公開）
【特許文献４】特開平６−９４１９１号公報（１９９４年４月５日公開）
【特許文献５】特開平８−２８７８９号公報（１９９６年２月２日公開）
【発明の概要】
【発明が解決しようとする課題】
【０００８】
しかしながら、上述のような従来技術では、オリフィス式スチームトラップにおいて、オリフィスが設けられたオリフィス板の復水流入側の面に付着堆積する異物を除去できないという問題がある。
【課題を解決するための手段】
【０００９】
そこで、本発明は上記の問題点に鑑みてなされたものであり、その目的は、オリフィスに付着堆積する異物だけでなく、オリフィスが設けられたオリフィス板の流体流入側の面に付着堆積する異物も除去できるオリフィス式スチームトラップを提供することにある。
【００１０】
本発明に係るスチームトラップは、上記の課題を解決するために、
流体流入側の面を天側に、流体流出側の面を地側にして配設される、オリフィスが設けられたオリフィス板、および、
上記オリフィスに付着した異物を除去する当該オリフィスに遊挿された第１の異物排除体と、上記流体流入側の面に付着した異物を除去する第２の異物排除体とを有した清掃部材を備えていることを特徴としている。
【００１１】
上記の構成によれば、オリフィスに遊挿された第１の異物排除体によって当該オリフィスに付着した異物を除去するだけでなく、第２の異物排除体によってオリフィス板の流体流入側の面に付着堆積する異物も除去できるオリフィス式スチームトラップを提供することができる。
【００１２】
よって、オリフィスの詰まりが生じにくく、メンテナンスが長期間不要であるスチームトラップを提供することができる。
【００１３】
なお、本願明細書における「異物」とは、スチームトラップを流れる復水に含まれる金属イオンの塩や金属の酸化物であったり、スチームトラップの上流から流れた錆である。
【００１４】
また本発明に係るスチームトラップは、上記の構成に加えて、
上記清掃部材は、上記流体流入側の面に引っ掛けて配されており、
上記第２の異物排除体が、上記流体流入側の面に移動可能に接触していることが好ましい。
【００１５】
上記の構成によれば、オリフィス板の流体流入側の面に引っ掛けるという簡易な方法によって清掃部材を配設することができる。
【００１６】
また上記の構成によれば、第２の異物排除体が、オリフィス板の流体流入側の面に移動可能に接触していることから、移動および接触によって流体流入側の面に付着した異物を効果的に除去することができる。
【００１７】
また本発明に係るスチームトラップは、上記の構成に加えて、
上記オリフィス板の流体流出側の面側に露出した上記第１の異物排除体の端部には、上記オリフィスから流出した流体と接触することによって位置または姿勢を変える構造体が設けられていることが好ましい。
【００１８】
上記の構成によれば、流体と接触することによって位置または姿勢を変える構造体を第１の異物排除体の端部に設けていることから、構造体に連動して第１の異物排除体の位置または姿勢が変わり、オリフィスに付着した異物を効率的に除去することができる。
【００１９】
また本発明に係るスチームトラップは、上記の構成に加えて、
上記第１の異物排除体は、上記オリフィスの断面積の５０〜８０％を占める太さを有した線状物であることが好ましい。
【００２０】
上記の構成によれば、オリフィスの断面積の２０〜５０％は流体の流路として確保されており、第１の異物排除体が当該オリフィスに遊挿された状態でも、流体の流出（排出）を妨げることなく、オリフィスに付着した異物の除去と、流体の排出とを同時並行でおこなうことができる。
【００２１】
また本発明に係るスチームトラップは、上記の構成に加えて、
上記構造体は、天側に頂点を向けた円錐体であり、側面には当該頂点から地側に向かって螺旋構造が形成されていることが好ましい。
【００２２】
上記の構成によれば、オリフィスからの排出される流体が、側面に形成された螺旋構造を伝って流れることに伴い、構造体が揺れ動くことから、これに連動して第１の異物排除体の位置または姿勢が変わり易く、よって、オリフィスに付着した異物を効率的に除去することができる。
【００２３】
また本発明に係るスチームトラップは、上記の構成に加えて、
上記構造体は、複数の羽部を有していることが好ましい。
【００２４】
上記の構成によれば、オリフィスからの排出される流体が、複数の羽部に当たることによって構造体が揺れ動くことから、これに連動して第１の異物排除体の位置または姿勢が変わり易く、よって、オリフィスに付着した異物を効率的に除去することができる。
【００２５】
また本発明に係るスチームトラップは、上記の構成に加えて、
上記オリフィスは、鉛直方向に形成されており、
上記オリフィスから流体が排出されている状態において、上記第１の異物排除体は、鉛直方向に対して傾斜した姿勢となることが好ましい。
【００２６】
上記の構成によれば、オリフィスから流体が排出されている間に、傾斜した姿勢の第１の異物排除体が、鉛直方向に形成されたオリフィスに遊挿された状態となることから、オリフィスの開口端部に集中的に第１の異物排除体が接触する状況を提供することができ、当該開口端部に付着した異物を効果的に除去することができる。
【発明の効果】
【００２７】
本発明は、オリフィスに遊挿された第１の異物排除体によって当該オリフィスに付着した異物を除去するだけでなく、第２の異物排除体によってオリフィスの復水流入側の面に付着堆積する異物も除去でき、オリフィスの詰まりが生じにくく、メンテナンスが長期間不要であるスチームトラップを提供することができる。
【図面の簡単な説明】
【００２８】
【図１】本発明に係るスチームトラップの一実施形態を示す断面図である。
【図２】図１に示すスチームトラップに具備された清掃部材が姿勢を変化させた状態を示す断面図である。
【図３】本発明に係るスチームトラップに具備された清掃部材の変形例を示した図である。
【図４】本発明に係るスチームトラップに具備された清掃部材の変形例を示した図である。
【図５】本発明に係るスチームトラップに具備された清掃部材の変形例を示した図である。
【発明を実施するための形態】
【００２９】
〔実施形態１〕
本発明に係るスチームトラップの一実施形態について、図１および図２に基づいて説明する。
【００３０】
図１は、本実施形態１のスチームトラップの構成を示す断面図である。図１に示すように、スチームトラップ１は、上部ケーシング２と、下部ケーシング３と、オリフィス板４と、ガスケット５と、清掃部材６とを備えている。
【００３１】
上部ケーシング２および下部ケーシング３は、スチームトラップ１の外殻を構成しており、それぞれには内部に流路が設けられている。上部ケーシング２と下部ケーシング３とは、互いを螺合することによって連結し、上部ケーシング２および下部ケーシング３に連通する内部流路が形成される。なお、図１では、上部ケーシング２が外周面に螺子山を有する雄螺子であり、下部ケーシング３が内周面に螺子山を有する雌螺子となっているが、本発明はこれに限定されるものではなく雄雌が反対であってもよい。
【００３２】
上部ケーシング２および下部ケーシング３は、一般的なスチームトラップの外殻を構成する材料から構成することができる。
【００３３】
オリフィス板４は、例えばステンレス鋼（ＳＵＳ材）から構成することができる。オリフィス板４は、下部ケーシング３に設けられた流路の一端に形成された開口部を閉塞するように配設されている。下部ケーシング３の流路の径は当該開口部の径よりも大きく、開口部の周囲にはこれらの径の差に相当する段部３ａが形成されている。オリフィス板４は、当該開口部の径よりも大きな径を有しており、その段部３ａの流路側に配設されている。また、段部３ａに配設されたオリフィス板４は、下部ケーシング３の流路側に向いた面の外周を、雌螺子の上部ケーシング２の端部に押圧されている。すなわち、オリフィス板４は、下部ケーシング３の開口部の周囲に形成されている段部３ａと、上部ケーシング２の端部とに挟持されている。
【００３４】
ガスケット５は、オリフィス板４と上部ケーシング２の端部との間に配設されている。ガスケット５により、オリフィス板４と上部ケーシング２の端部との隙間が密閉されて、流体が漏出することを防ぐことができる。
【００３５】
なお、オリフィス板４と上部ケーシング２の端部との間ではなく、下部ケーシング３の開口部の周囲に形成されている段部３ａと、オリフィス板４との間に配設されていてもよい。あるいは、オリフィス板４と上部ケーシング２の端部との間にも、段部３ａとオリフィス板４との間にも配設されていてもよい。
【００３６】
オリフィス板４には、その中心部に流体排出孔４０（オリフィス）が設けられている。
【００３７】
流体排出孔４０は、下部ケーシング３の流路と、スチームトラップ１外部とを連通する貫通孔として、オリフィス板４における、下部ケーシング３の流路に面した流体流入面４１（流体流入側の面）側から、流体流入面４１の裏面であるスチームトラップ１外部に面した流体流出面４２（流体流出側の面）側に貫通して設けられている。本実施形態では、オリフィス板４に設けられた流体排出孔４０は一つであるが、本発明はこれに限定されるものではなく複数個設けられていてもよい。
【００３８】
本実施形態１のスチームトラップ１は、オリフィス板４の流体流入面４１を天側に、流体流出面４２を地側にしてオリフィス板４を下部ケーシング３内に配設しており、流体排出孔４０は、オリフィス板４を鉛直方向に貫通している。
【００３９】
以下に、本実施形態１の特徴的構成の一つである清掃部材６を説明するが、その前に、比較構成として、清掃部材６を具備していないスチームトラップについてその問題点を説明する。
【００４０】
＜比較構成のスチームトラップの問題点＞
比較構成のスチームトラップは、本実施形態１のスチームトラップ１が有する清掃部材６を具備していない以外は本実施形態１のスチームトラップと同一とする。
【００４１】
比較構成のスチームトラップを用いて、スチームトラップの上流から流れてきた復水をオリフィスから外部に排出すると、オリフィスに復水に含まれる金属イオンの塩や酸化物であったり、スチームトラップの上流から流れた錆であったりが、異物として、付着堆積する。孔に異物が堆積すると、流体の排出効率を下げることになり、放置すると孔が異物によって閉塞されて復水が排出できない事態を招く。
【００４２】
比較構成のスチームトラップにおいて、この異物を除去するためには、例えば先述した上部ケーシングおよび下部ケーシングの螺合を外して内部からオリフィス板を取り出して清掃するという分解作業および洗浄作業という手間を要する。あるいは、スチームトラップの外部から作業員がオリフィスに棒状体を挿入して清掃するという方法も考えられる。
【００４３】
しかしながら、異物は、孔だけでなく、オリフィス板の流体流入面にも付着するため、この異物の排除には、先述の分解作業および洗浄作業が必要となる。
【００４４】
一般的にスチームトラップは、蒸気輸送管や蒸気使用機器等の蒸気配管系に発生する蒸気が凝縮した復水を系外に排出するべく、多数配設されている。そのため、多数配設されている比較構成のスチームトラップを個々に作業員が清掃するとなると、非常に手間となる。以上が、比較構成のスチームトラップの問題点である。
【００４５】
そこで、本実施形態１のスチームトラップ１は、この問題を解決するべく、清掃部材６を具備している。
【００４６】
清掃部材６は、オリフィス板４の流体排出孔４０に貫通している第１の異物排除体６１を有し、上端部を流体流入面４１に引っ掛けることによって、オリフィス板４にぶら下がった態様の部材である。
【００４７】
第１の異物排除体６１は、オリフィス板４の流体排出孔４０に付着した異物を除去するための部分であり、流体排出孔４０に遊挿されている。
【００４８】
また、清掃部材６は、流体流入面４１に引っ掛けている部分によって、流体流入面４１に付着した異物を除去することができる。以下では、この部分を第２の異物排除体６２と記載する。
【００４９】
第１の異物排除体６１および第２の異物排除体６２は、針金のような線状体を図２に示すように屈曲させて実現することができる。清掃部材６は、流体排出孔４０から排出される流体と接触して、第１の異物排除体６１および第２の異物排除体６２の少なくとも何れかがどのような位置や姿勢をとったとしても、流体排出孔４０から脱離することはない。
【００５０】
清掃部材６はオリフィス板４に対して固定されているのではなく、単に引っ掛けて配されているだけである。そのため、清掃部材６に下部ケーシング３の流路を流れた流体が接触することにより、第２の異物排除体６２は移動し、流体流入面４１との接触位置を変えることができ、その（第２の異物排除体６２の）接触部６２ａは、流体の流速や圧力に応じて流体流入面４１上を摺動したり、流体流入面４１を叩くようにして移動したりする。これにより、流体流入面４１における流体排出孔４０の周辺領域に付着した異物を排除することができる。なお、流体流入面４１における流体排出孔４０の周辺領域とは、流体排出孔４０を中心とした３６０°の範囲である。
【００５１】
なお、流体排出孔４０の周辺領域からの異物の排除とは、流体排出孔４０の周辺領域の異物を流体排出孔４０を通じてスチームトラップ１の外部に排出すること以外にも、流体排出孔４０の周辺領域の異物を流体流入面４１における流体排出孔４０から遠い位置に移動させることも含む。
【００５２】
第１の異物排除体６１は、第２の異物排除体６２の位置や姿勢の変化に伴い、あるいは、流体流入面４１側から流体排出孔４０を流れる流体（復水）との接触を受けて、流体排出孔４０内において位置や姿勢を変える。例えば、流体排出孔４０の中心軸に対して垂直方向に移動したり、僅かではあるが当該中心軸に沿った方向にも移動することもできる。更には、第１の異物排除体６１の長手方向、すなわち挿通方向に沿った軸（軸心）が、流体排出孔４０の中心軸に対して傾斜するように姿勢を変えることもある。このような第１の異物排除体６１の位置や姿勢の変化に伴い、第１の異物排除体６１の表面と、流体排出孔４０の内壁面との接触箇所が変わる。これにより、流体排出孔４０に在る異物あるいは流体排出孔４０に付着堆積した異物を排除することができる。
【００５３】
なお、流体排出孔４０からの異物の排除とは、異物を流体排出孔４０を通じてスチームトラップ１の外部に排出すること以外にも、流体排出孔４０から流体排出孔４０の周辺領域へ排出することも含む。流体排出孔４０から先述した流体排出孔４０の周辺領域へ排出された異物は、先述したように第２の異物排除体６２によって排除される。
【００５４】
第１の異物排除体６１は、断面円形あるいは楕円形の線状物（例えば針金）から構成することができるだけでなく、断面矩形（例えば断面六角形）の線状物から構成してもよい。
【００５５】
第１の異物排除体６１は、流体排出孔４０の断面積の５０〜８０％を占める太さを有した線状物であることが好ましい。これにより、流体排出孔４０の断面積の２０〜５０％は流体の流路として確保されており、第１の異物排除体６１が流体排出孔４０に遊挿された状態でも、流体の流出（排出）を妨げることなく、流体排出孔４０に付着した異物の除去と、流体の排出とを同時並行でおこなうことができる。
【００５６】
また、流体排出孔４０に遊挿された第１の異物排除体６１は、オリフィス板４の流体流入面４１側において流路に露出した部分と、流体流出面４２側から外部に露出した部分を有している。そして、この流体流出面４２側から外部に露出した部分の端部には、流体排出孔４０から流出した流体と接触することによって位置または姿勢を変える構造体６３が設けられている。
【００５７】
構造体６３は、清掃部材６の下端にぶら下がった重りのような部材であり、流体排出孔４０から排出される流体と接触し易いように流体排出孔４０の径よりも大きく構成されている。本実施形態１では、構造体６３は図１に示すように管状物であり、第１の異物排除体６１を構成する線状物をその管内に挿通させることによって第１の異物排除体６１の端部に取り付けられている。
【００５８】
構造体６３は、流体排出孔４０から排出された流体（復水）によって劣化することがないような材質から構成することができる。また、流体排出孔４０から排出された流体が接触することによって構造体６３の位置または姿勢が変わる程度に軽量のものが好ましい。よって、構造体６３は例えばゴム管から構成することができる。
【００５９】
なお、本実施形態１では構造体６３をゴム管から構成するが、構造体６３は第１の異物排除体６１と一体のものであってもよい。例えば、第１の異物排除体６１が針金だった場合に、第１の異物排除体６１の下端においてその針金を絡めて玉状にしたものを構造体６３として構成してもよい。
【００６０】
また、第１の異物排除体６１の端部に構造体６３を設けたことによって、第１の異物排除体６１の軸心が、流体排出孔４０から流体が排出されていない状態であっても、流体排出孔４０の中心軸に対して傾斜するように構成されてもよい。この状態を図２に示す。傾斜した第１の異物排除体６１は、流体排出孔４０の両端部に重点的に接触して両端部に付着した異物を効果的に排除することができる。第１の異物排除体６１は、流体が排出されていない状態で流体排出孔４０の中心軸に対して傾斜していても、流体が第１の異物排除体６１、第２の異物排除体６２または構造体６３に接触することによって、その位置や姿勢を変えることができる。
【００６１】
すなわち、第１の異物排除体６１と、第２の異物排除体６２と、構造体６３とは一体化された構造である。そのため、第１の異物排除体６１、第２の異物排除体６２または構造体６３のいずれかの位置や姿勢が流体によって変化すれば、第１の異物排除体６１および第２の異物排除体６２は位置や姿勢を変えて、異物を排除する。
【００６２】
なかでも、清掃部材６の下端に設けた構造体６３によって、第１の異物排除体６１および第２の異物排除体６２の位置または姿勢が変わり易くなるので、構造体６３は異物の排除効率を高めることができる。要するに、構造体６３は振り子の役目を担っている。
【００６３】
なお、一例としては、流体排出孔４０の直径を約１ｍｍ、好ましくは０．７〜０．９ｍｍとすることができ、流体排出孔４０の長さを２ｍｍ（つまり、オリフィス板４の厚さが２ｍｍ）とすることができる。また、図１に示した流体の圧力は、０．３〜０．９ＭＰａ程度とすることができる。
【００６４】
また、第１の異物排除体６１と第２の異物排除体６２は、一本の針金から形成することができる。一本の針金を、流体排出孔４０の長さに相当する長さとその両端に設ける余長分の長さほど直線状にして第１の異物排除体６１とし、その一方の端に構造体６３を設け、他方の端は、Ｌ字型に屈曲してその先端を更に直角に曲げることによって流体流入面４１に接触する第２の異物排除体６２を形成することができる。なお、一例として流体排出孔４０の長さを２ｍｍとした場合に、第１の異物排除体６１における流体排出孔４０に遊挿された部分を含む直線部分の長さは、５ｃｍとすることができる。しかしながら、本発明はこれに限定されるものではない。
【００６５】
また、図１および図２に示すように、その直線部分と第２の異物排除体６２とは平行になっており、これらの離間間隔は流体排出孔４０の径よりも大きく構成されている。これにより、流体排出孔４０から清掃部材６が下方に落下することがない。
【００６６】
以上のように、本実施形態１のスチームトラップ１によれば、オリフィス板４の流体排出孔４０に付着した異物を除去する、流体排出孔４０に遊挿された第１の異物排除体６１と、流体流入面４１に付着した異物を除去する第２の異物排除体６２とを有した清掃部材６を備えている。これにより、流体排出孔４０に遊挿された第１の異物排除体６１によって流体排出孔４０に付着した異物を除去するだけでなく、第２の異物排除体６２によってオリフィス板４の流体流入面４１に付着堆積する異物も除去できる。そのため、オリフィス板４の詰まりが生じにくく、メンテナンスが長期間不要であるスチームトラップ１を提供することができる。
【００６７】
一例として、先述した比較構成のスチームトラップと、本実施形態１のスチームトラップ１とを同一条件下においてオリフィス板の流体排出孔の詰まりを比較したところ、比較構成のスチームトラップでは１〜２．５ヶ月で異物による詰まりが生じてメンテナンス（分解・清掃）が必要になったのに対して、本実施形態１のスチームトラップ１では、６ヶ月以上もメンテナンス不要であった。
【００６８】
なお、第１の異物排除体６１の下端に構造体６３を設けなくとも、流体が第１の異物排除体６１および第２の異物排除体６２に接触することによってこれらの位置や姿勢は変わり、流体排出孔４０および流体流入面４１に付着堆積する異物を除去することができる。しかしながら、構造体６３を設けることにより、清掃部材６の重心が下方にずれて、流体との接触による清掃部材６の位置や姿勢の変化を生じやすくなる。
【００６９】
また、本実施形態１では、下部ケーシング３が流体流出面４２よりも下方に大きく突出してはおらず、構造体６３はスチームトラップ１外部に露出している。そのため、スチームトラップ１外部の気流（風など）も構造体６３の位置や姿勢を変える要因である。すなわち、構造体６３はその位置や姿勢が比較的変わり易く、流体排出孔４０および流体流入面４１の清掃をより一層効率的に行うことができる。
【００７０】
〔実施形態２〕
本発明の他の実施形態について、図３に基づいて説明すれば、以下のとおりである。なお、説明の便宜上、前記実施形態にて説明した部材と同じ機能を有する部材については、同じ符号を付記し、その説明を省略する。
【００７１】
本実施形態２と実施形態１との相違点は、第１の異物排除体６１の下端に設けられた構造体の形状の違いにある。本実施形態２の構造体６３´は、天側に頂点を向けた円錐体であり、側面には当該頂点から地側に向かって螺旋構造６４が形成されている。
【００７２】
流体排出孔４０から排出される流体は、構造体６３´の天側に接触すると、側面に形成された螺旋構造６４を伝って流れる。そして、これに伴い、構造体６３´が揺れ動き、これに連動して第１の異物排除体６１の位置または姿勢が変わり、また第２の異物排除体６２の位置または姿勢も変わる。本実施形態２の構造体６３´がその形状から揺れ易いため、第１の異物排除体６１および第２の異物排除体６２の位置または姿勢が変わり易く、よって、オリフィス板の流体排出孔および流体流入面における流体排出孔の周辺領域に付着した異物を効率的に除去することができる。
【００７３】
〔実施形態３〕
本発明の他の実施形態について、図４に基づいて説明すれば、以下のとおりである。なお、説明の便宜上、前記実施形態１にて説明した部材と同じ機能を有する部材については、同じ符号を付記し、その説明を省略する。
【００７４】
本実施形態３と実施形態１との相違点は、第１の異物排除体６１の下端に設けられた構造体の形状の違いにある。本実施形態３の構造体６３´´は、複数の羽部６５を有して構成されたプロペラ型である。
【００７５】
流体排出孔４０から排出される流体は、複数の羽部６５の少なくとも一枚に当たり、これにより、構造体６３´´が揺れ動く。そして、構造体６３´´の揺れに連動して第１の異物排除体６１の位置または姿勢が変わり、また第２の異物排除体６２の位置または姿勢も変わる。本実施形態３の構造体６３´´がその形状から揺れ易いため、第１の異物排除体６１および第２の異物排除体６２の位置または姿勢が変わり易く、よって、オリフィス板の流体排出孔および流体流入面における流体排出孔の周辺領域に付着した異物を効率的に除去することができる。
【００７６】
〔実施形態４〕
本発明の他の実施形態について、図５に基づいて説明すれば、以下のとおりである。なお、説明の便宜上、前記実施形態１にて説明した部材と同じ機能を有する部材については、同じ符号を付記し、その説明を省略する。
【００７７】
本実施形態３と実施形態１との相違点は、第２の異物排除体６２の形状にある。本実施形態４の第２の異物排除体６２´は、流体排出孔４０に遊挿された部分を含む第１の異物排除体６１の直線部分から分岐した部分から構成されている。第２の異物排除体６２´は当該直線部分から垂直方向に分岐しており、当該分岐部分が流体流入面４１に接触することによって、流体流入面４１に清掃部材６が引っ掛かった状態を実現している。第１の異物排除体６１の直線部分が流体排出孔４０に鉛直方向に遊挿された状態で、第２の異物排除体６２´は流体流入面４１に接触している。そのため、流体によって第１の異物排除体６１の位置や姿勢が変化することにより、流体流入面４１に対する第２の異物排除体６２´の位置や姿勢が変化して、流体流入面４１に付着した異物を第２の異物排除体６２´が排除することができる。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７９】
本発明は、オリフィス式スチームトラップに利用することができる。
【符号の説明】
【００８０】
１  スチームトラップ
２  上部ケーシング
３  下部ケーシング
３ａ  段部
４  オリフィス板
５  ガスケット
６  清掃部材
４０  流体排出孔（オリフィス）
４１  流体流入面
４２  流体流出面
６１  第１の異物排除体
６２、６２´  第２の異物排除体
６２ａ  接触部
６３、６３´、６３´´  構造体
６４  螺旋構造
６５  羽部
【図１】
2015045377.tif 000003
【図２】
2015045377.tif 000004
【図３】
2015045377.tif 000005
【図４】
2015045377.tif 000006
【図５】
2015045377.tif 000007